(57)【要約】【課題】適切なアラーム設定を促すことができる生体情報モニターを提供すること。【解決手段】生体情報モニター１００は、ユーザー操作に応じたアラーム設定値を設定可能な操作部と、計測された生体情報とアラーム設定値とを比較し、比較結果に基づいてアラーム出力を制御するアラーム制御部（計測処理部１０４）と、生体情報のトレンドグラフ及びアラーム設定値のトレンドグラフを時間方向及び値方向を合わせて同一画面に表示する表示部１０１と、を有する。【選択図】図１
2018102671.tif 000002
【特許請求の範囲】
【請求項１】
ユーザー操作に応じたアラーム設定値を設定可能な操作部と、
計測された生体情報と、前記アラーム設定値とを比較し、比較結果に基づいてアラーム出力を制御するアラーム制御部と、
前記生体情報のトレンドグラフ及び前記アラーム設定値のトレンドグラフを時間方向及び値方向を合わせて同一画面に表示する表示部と、
を具備する生体情報モニター。
【請求項２】
前記表示部は、
アラーム設定対象である複数の生体情報のトレンドグラフを、時間方向及び値方向を合わせて同一画面に表示し、
前記アラーム設定対象である複数の生体情報に関するアラーム設定値のトレンドグラフのうち、ユーザーによって選択された生体情報に関するアラーム設定値のトレンドグラフを、前記生体情報のトレンドグラフと時間方向及び値方向を合わせて前記生体情報のトレンドグラフと同一画面に表示する、
請求項１に記載の生体情報モニター。
【請求項３】
前記表示部は、
前記生体情報のトレンドグラフ及び前記アラーム設定値のトレンドグラフに加えて、これらのトレンドグラフと時間方向を合わせてアラーム出力の履歴を表示する、
請求項１又は請求項２に記載の生体情報モニター。
【請求項４】
前記表示部は、
前記生体情報のトレンドグラフ及び前記アラーム設定値のトレンドグラフと同一画面に、前記アラーム設定対象である複数の生体情報の前記アラーム設定値をそれぞれ設定するための複数の設定画像を表示する、
請求項２又は請求項３に記載の生体情報モニター。
【請求項５】
さらに、ユーザーによって現在操作されているアラーム設定値と、過去の生体情報のトレンドグラフとを比較することにより、前記現在操作されているアラーム設定値が設定されたときに、どの程度の頻度でアラームが発生するかを予測する予測部を具備し、
前記表示部には、前記予測部によって予測された予測値が表示される、
請求項１から請求項４のいずれか一項に起債の生体情報モニター。
【発明の詳細な説明】
【技術分野】
【０００１】
本発明は、アラーム機能を有する生体情報モニターに関する。
【背景技術】
【０００２】
生体情報モニターは、生体情報（例えば、心電図、血圧および酸素飽和度など）の計測値及び波形を、表示部に一括表示することができる。生体情報モニターの例としては、病室などのベッドサイドに設定して使用されるベッドサイドモニター及びスタッフステーション（ナースステーションとも呼ばれている）などに設定して使用されるセントラルモニターなどがある。
【０００３】
生体情報モニターにより表示された計測値及び波形を見ることで、医療従事者（医師及び看護師など）は、患者の容体を把握することができる。また、生体情報モニターは一般的に、計測値の異常などが生じたときにアラーム音などにより異常を通知するアラーム機能を有するため、医療従事者は、非常時に適切な措置を迅速にとることができる。
【０００４】
このようなアラーム機能を備えた生体情報モニターは、例えば特許文献１に記載されている。特許文献１には、生体情報モニターのアラーム機能に加えて、そのアラームを発生させるための閾値の設定方法について記載されている。
【０００５】
また従来の生体情報モニターは、一般的に、いつアラームが出力されたかを記録して表示するアラーム履歴表示機能を有する。
【先行技術文献】
【特許文献】
【０００６】
【特許文献１】特開２００１−０７０２５７号公報
【発明の概要】
【発明が解決しようとする課題】
【０００７】
ところで、アラームの設定は、例えば患者の容体や、薬の投与などを考慮して、医師などの医療従事者の判断により行うようになっている。
【０００８】
このアラーム設定が不適切だと、アラームが出力されるべきときにアラームが出力されなかったり、逆に、アラームが不要のときにアラームが出力されてしまう、といった不都合が生じる。
【０００９】
また、アラームの設定は、心拍数や酸素飽和度といった各生体情報毎に行う必要があるため、医療従事者はアラーム設定に手間がかかる。
【００１０】
本発明は、以上の点を考慮してなされたものであり、適切なアラーム設定を促すことができる生体情報モニターを提供する。
【００１１】
また、本発明は、アラーム設定の手間を軽減できる生体情報モニターを提供する。
【課題を解決するための手段】
【００１２】
本発明の生体情報モニターの一つの態様は、
ユーザー操作に応じたアラーム設定値を設定可能な操作部と、
計測された生体情報と、前記アラーム設定値とを比較し、比較結果に基づいてアラーム出力を制御するアラーム制御部と、
前記生体情報のトレンドグラフ及び前記アラーム設定値のトレンドグラフを時間方向及び値方向を合わせて同一画面に表示する表示部と、
を具備する。
【００１３】
また、本発明の生体情報モニターの一つの態様は、
前記表示部は、
アラーム設定対象である複数の生体情報のトレンドグラフを、時間方向及び値方向を合わせて同一画面に表示し、
前記アラーム設定対象である複数の生体情報に関するアラーム設定値のトレンドグラフのうち、ユーザーによって選択された生体情報に関するアラーム設定値のトレンドグラフを、前記生体情報のトレンドグラフと時間方向及び値方向を合わせて前記生体情報のトレンドグラフと同一画面に表示する。
【発明の効果】
【００１４】
本発明によれば、適切なアラーム設定を促すことができ、かつ、アラーム設定の手間を軽減できる生体情報モニターを実現できる。
【図面の簡単な説明】
【００１５】
【図１】実施の形態による生体情報モニターの全体構成を示すブロック図
【図２】実施の形態１によるアラーム設定画像の例を示す図
【図３】実施の形態２によるアラーム設定画像の例を示す図
【図４】確認ウィンドウを示す図
【発明を実施するための形態】
【００１６】
以下、本発明の実施の形態について、図面を参照して詳細に説明する。
【００１７】
＜実施の形態１＞
図１は、本実施の形態の生体情報モニター１００の全体構成を示すブロック図である。生体情報モニター１００は、コネクタ部１１０を介して、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５などの生体情報検出部が接続されている。コネクタ部１１０は、生体情報検出部と計測処理部１０４との間のインタフェースとして機能する。
【００１８】
計測処理部１０４は、記憶部１０５に記憶されたプログラムを実行することで、所定の計測処理を実行する。この計測処理によって、計測処理部１０４は、コネクタ部１１０に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。
【００１９】
また、計測処理部１０４は、過去に計測した生体情報を記憶部１０５に記憶させる動作、及び、記憶部１０５に記憶されている生体情報を読み出す動作を行うことができるようになっている。さらに、計測処理部１０４によって得られた生体情報は、表示制御部１０２を介して表示部１０１に計測値又は波形の形式で表示される。
【００２０】
表示部１０１は、例えばタッチパネル付き液晶表示器であり、生体情報を表示する表示機能を有するだけでなく、ユーザーによる入力操作を受け付ける入力部としての機能も有する。具体的には、ユーザーによる表示部１０１のタッチ操作によって、表示制御部１０２による表示部１０１の表示や計測処理部１０４の処理が変更される。
【００２１】
また、生体情報モニター１００は、表示部１０１にアラームを設定するためのアラーム設定画像を表示できるようになっており、ユーザーは、このアラーム設定画像を見ながら表示部１０１のタッチ操作を行うことにより、アラーム設定値を入力できるようになっている。アラーム設定値は、ユーザーによって生体情報の種類毎に設定される。表示部１０１を介して入力されたアラーム設定値は、記憶部１０５に記憶される。なお、本実施の形態では、表示部１０１からアラーム設定値を入力する構成となっているが、例えばキーボードやマウス、専用のボタンなどを使ってアラーム設定値を入力する構成を採用してもよく、要は、ユーザー操作に応じたアラーム設定値を設定可能な操作部を設ければよい。
【００２２】
計測処理部１０４は、アラーム制御部としての機能をも有し、計測された生体情報と、アラーム設定値とを比較し、比較結果に基づいてアラーム出力を制御する。具体的には、アラーム設定値を閾値として、生体情報をアラーム設定値を用いて閾値判定し、判定の結果に応じてアラームインジケータ１０３の出力を制御する。
【００２３】
本実施の形態の場合、記憶部１０５には、計測された生体情報の履歴に加えて、アラーム設定値の履歴が記憶される。記憶部１０５に記憶された生体情報の履歴及びアラーム設定値の履歴は、表示制御部１０２によって読み出されて表示部１０１に表示される。
【００２４】
図２は、本実施の形態によるアラーム設定画像の例である。表示部１０１には、生体情報の履歴及びアラーム設定値の履歴が同時に表示される。図２の表示例では、生体情報としてＲＲ（Respiratory Rate：呼吸数）が選択されており、ＲＲの履歴とＲＲに関するアラーム設定値の履歴が表示されている。勿論、表示部１０１に表示される生体情報は、ＲＲに限らず、ユーザーの操作に応じてＨＲ（Heart Rate）、ＰＲ＿ＳｐＯ２（ＳｐＯ２センサで取得した脈拍）、ＳｐＯ２濃度なども表示させることができる。
【００２５】
履歴表示領域Ｆ０には、生体情報履歴及びアラーム設定値履歴が表示される。より具体的には、履歴表示領域Ｆ０には、横軸を時間方向、縦軸を値方向として、生体情報（図２の例では呼吸数）及びそのアラーム設定値のそれぞれの履歴、換言すればそれぞれのトレンドグラフが、時間方向及び値方向を合わせて、同一画面に重ねて表示される。
【００２６】
ここで、図２の例において、アラーム設定値の履歴は、履歴表示領域Ｆ０内において濃い色で示されている。実際の表示画面では、履歴表示領域Ｆ０内の濃い色で示された領域は、濃い色以外の領域と識別可能な色で表示される。図２の例では、アラーム設定値として上限値と下限値とが設定されており、生体情報が上限値を上回って濃い色の領域に入った場合、又は、生体情報が下限値を下回って濃い色の領域に入った場合に、アラームインジケータ１０３からアラームが出力される。
【００２７】
このように、生体情報及びそのアラーム設定値のそれぞれの履歴を、時間方向及び値方向を合わせて同一画面に重ねて表示したことにより、医療従事者は、生体情報の履歴とアラーム設定値の履歴とから、生体情報がアラーム設定値を超えたか否かを目視することで、いつアラームが出力されたか、及び、生体情報がアラーム設定値をどの程度超えたのかを確認することができるようになる。
【００２８】
加えて、本実施の形態の場合には、アラーム出力の履歴を表示するアラーム出力履歴（アラーム発生箇所）が表示されるようになっている。アラーム出力履歴は、生体情報履歴及びアラーム設定値履歴と時間軸を合わせて表示される。そして、図２に示したように、生体情報がアラーム設定値を超えた場合、つまり生体情報の値がアラーム設定値を上回った場合またはアラーム設定値を下回った場合には、その期間が識別できるように表示する。これにより、医療従事者は、いつアラームが出力されたかをより容易に確認することができるようになる。
【００２９】
さらに、本実施の形態の場合には、生体情報及びアラーム設定値のそれぞれの履歴を表示した履歴表示領域Ｆ０と同時に、アラーム設定値を設定するためのアラーム設定領域Ｆ１を表示するようになっている。アラーム設定領域Ｆ１には、アラーム設定値を上下させるための操作子Ｓ１が含まれる。医療従事者は、この操作子Ｓ１を指でタッチしながら上下方向にスライドさせることにより、アラーム設定値を変化させることができる。
【００３０】
加えて、表示部１０１には、操作子Ｓ１から履歴表示領域Ｆ０に向かって延在するアラーム設定バーＬ１が表示される。これにより、医療従事者は、これから設定するアラーム設定値と、生体情報履歴及びアラーム設定値履歴との関係を見比べながら、適切な値のアラーム設定値を設定できるようになる。
【００３１】
以上説明したように、本実施の形態によれば、生体情報の履歴及びアラーム設定値の履歴を同一画面上に表示したことにより、医療従事者は、生体情報及びアラーム設定値のトレンドを基に適切なアラーム設定値を新たに設定することができ、さらに過去のアラーム設定値が適切な値であったか否かを確認することもできるようになる。この結果、適切なアラーム設定を促すことができる生体情報モニター１００を実現できる。
【００３２】
因みに、アラーム設定値を変更するタイミングとしては、例えば適切でないアラームが頻発するときや、患者の容体がアラームが出力されなければならない状態にもかかわらずアラームが出力されなかったときなどがある。このようなときに、本実施の形態の構成を用いれば、過去に遡って実際の生体情報の値とアラーム設定値との相関を見ることで、適切なアラーム設定値を設定できるようになる。
【００３３】
＜実施の形態２＞
上述の実施の形態１ではアラーム設定時に図２に示したようなアラーム設定画像を表示したのに対して、本実施の形態においてはアラーム設定時に図３に示したようなアラーム設定画像を表示する。
【００３４】
本実施の形態のアラーム設定画像では、アラーム設定対象である複数の生体情報のトレンドグラフが、時間方向及び値方向を合わせて同一画面に表示され、さらに、アラーム設定対象である複数の生体情報に関するアラーム設定値のトレンドグラフのうち、ユーザーによって選択された生体情報に関するアラーム設定値のトレンドグラフが、生体情報のトレンドグラフと時間方向及び値方向を合わせて同一画面に表示される。
【００３５】
具体的に説明する。図３の例の場合、履歴表示領域Ｇ０には、生体情報のトレンドグラフとして、ＨＲのトレンドグラフＴ１、ＰＲ＿ＳｐＯ２のトレンドグラフＴ２、ＳｐＯ２のトレンドグラフＴ３、ＲＲのトレンドグラフＴ４が時間方向及び値方向を合わせて同一画面に表示されている。
【００３６】
また、アラーム設定画像には、履歴表示領域Ｇ０と同時に、各生体情報のアラーム設定値を設定するためのアラーム設定領域Ｇ１、Ｇ２、Ｇ３、Ｇ４が表示される。アラーム設定領域Ｇ１にはＨＲのアラーム設定値を上下させるための操作子Ｓ１が表示され、アラーム設定領域Ｇ２にはＰＲ＿ＳｐＯ２のアラーム設定値を上下させるための操作子Ｓ１が表示され、アラーム設定領域Ｇ３にはＳｐＯ２のアラーム設定値を上下させるための操作子Ｓ１が表示され、アラーム設定領域Ｇ４にはＲＲのアラーム設定値を上下させるための操作子Ｓ１が表示される。
【００３７】
ユーザーによってアラーム設定領域Ｇ１〜Ｇ４のうちのいずれかの領域がタッチされると、そのタッチされたアラーム設定領域がアクティブとなり、ユーザーはアクティブとなったアラーム設定領域の操作子Ｓ１を用いてアクティブとなった領域に対応する生体情報のアラーム設定値を設定できる。また、履歴表示領域Ｇ０には、アクティブとなったアラーム設定領域に対応するアラーム設定のトレンドグラフが表示される。
【００３８】
図３の例では、ユーザーによってアラーム設定領域Ｇ４がタッチされ、その結果、ＲＲのアラーム設定値を設定するための操作子Ｓ１がアクティブとされているとともに、履歴表示領域Ｇ０にＲＲのアラーム設定のトレンドグラフ（履歴表示領域Ｇ０内の濃い色の部分）が表示されている。また、ＲＲのアラーム設定値を設定するための操作子Ｓ１から履歴表示領域Ｇ０に向かって延在するアラーム設定バーＬ１が表示される。
【００３９】
つまり、ユーザーはある生体情報のアラーム設定値を変更したい場合には、図３の画面において、設定を変更したい生体情報に対応するアラーム設定領域Ｇ１、Ｇ２、Ｇ３、Ｇ４をタッチする。すると、そのアラーム設定領域Ｇ１、Ｇ２、Ｇ３、Ｇ４がアクティブとなるとともに履歴表示領域Ｇ０にアクティブとなったアラーム設定領域に対応するアラーム設定履歴が表示される。この状態において、ユーザーは、これから設定するアラーム設定値（アラーム設定バーＬ１）と、生体情報履歴（トレンドグラフ）及びアラーム設定値履歴（トレンドグラフ）との関係を見比べながら、適切な値のアラーム設定値を設定できるようになる。
【００４０】
次に、ユーザーがアラーム設定変更決定キーＳ２をタッチすると、表示部１０１には図４に示すような確認ウィンドウが表示される。確認ウィンドウには、どの生体情報がどのように変更されたのかが数値及び文字にて表示される。これにより、ユーザーは確認ウィンドウによってアラームの設定漏れや設定ミスが無かったかを確認できる。因みに、複数の生体情報のアラーム設定値を変更する場合には、図３のアラーム設定画像において複数の生体情報のアラーム設定値を変更した後に、アラーム設定変更決定キーＳ２をタッチ操作すれば、複数の生体情報のアラーム設定値の変更を一気に確認できる。ユーザーによって「ＯＫ」のキーがタッチされると、設定変更が反映されて記憶部１０５に記憶される。これに対して、「キャンセル」のキーがタッチされると、図３のアラーム設定画像が再び表示される。
【００４１】
以上説明したように、本実施の形態によれば、実施の形態１に加えて、アラーム設定対象である複数の生体情報のトレンドグラフＴ１〜Ｔ４を時間方向及び値方向を合わせて同一画面に表示し、さらに、アラーム設定対象である複数の生体情報に関するアラーム設定値のトレンドグラフのうち、ユーザーによって選択された生体情報に関するアラーム設定値のトレンドグラフを、生体情報のトレンドグラフＴ１〜Ｔ４と時間方向及び値方向を合わせて同一画面に表示する。これにより、実施の形態１の効果に加えて、複数の生体情報のアラーム設定をトレンド画面で一括設定できるといった効果を得ることができ、各生体情報につき、画面を切り替えながらアラーム設定を行う場合と比較して、アラーム設定の手間を軽減できる。
【００４２】
さらに、本実施の形態によれば、ある生体情報のアラーム設定を変更するときに、他の生体情報のトレンドグラフも参照できるので、ユーザーをより適切なアラーム設定へと促すことを期待できる。
【００４３】
なお、上述の実施の形態１、２に加えて、アラーム設定値を操作しているときに、ユーザーによって変更されるアラーム設定値を過去の生体情報と比較し、そのアラーム設定値を設定するとどの程度アラームが発生するか（例えば回数）を予測値として表示するようにしてもよい。つまり、現在ユーザーによって操作されているアラーム設定値と、過去の生体情報のトレンドグラフとを比較することにより、現在操作されているアラーム設定値が設定されたときに、どの程度の頻度でアラームが発生するかを予測する。図１の構成の場合、例えば計測処理部１０４にこのような予測部としての機能を持たせればよい。このようにすれば、ユーザーは、もしもある設定値を設定すれば、どの程度アラームが出力されるかを知ることができる。つまり、アラーム出力の傾向を予め医療従事者に提示することができる。これにより、医療従事者はより適切なアラーム設定を行うことができるようになる。
【００４４】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４５】
本発明は、アラーム機能を有する生体情報モニターに適用できる。
【符号の説明】
【００４６】
１００  生体情報モニター
１０１  表示部
１０２  表示制御部
１０３  アラームインジケータ
１０４  計測処理部
１０５  記憶部
Ｆ０、Ｇ０  履歴表示領域
Ｆ１、Ｇ１〜Ｇ４  アラーム設定領域
Ｌ１  アラーム設定バー
Ｓ１  操作子
Ｔ１〜Ｔ４  生体情報のトレンドグラフ
【図１】
2018102671.tif 000003
【図２】
2018102671.tif 000004
【図３】
2018102671.tif 000005
【図４】
2018102671.tif 000006